【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
選択的にメイン画像データを表示するメイン表示部と、常時に付加画像データを表示するサブ表示部に区画された表示パネルに光を提供するバックライトアセンブリにおいて、
光を出射する光源と、前記光をガイドする光ガイドユニットとを備え、
前記光ガイドユニットは、（ａ）前記光が入射する入光面、（ｂ）前記メイン表示部に対応するメイン領域と、前記サブ表示部に対応し、出光量を増加させる光学パターンが形成されたサブ領域に区画されて、ガイドした光を前記表示パネルに向けて出射する出光面、及び（ｃ）前記出光面に対向する対向面を含むことを特徴とするバックライトアセンブリ。
【請求項２】
前記メイン領域は前記入光面に隣接し、前記サブ領域は前記入光面から離隔していることを特徴とする請求項１記載のバックライトアセンブリ。
【請求項３】
前記対向面には光散乱パターンが形成され、前記光散乱パターンは、前記メイン領域に対応する対抗面の部分には相対的に疎に形成され、前記サブ領域に対応する対抗面の部分には相対的に密に形成されることを特徴とする請求項１記載のバックライトアセンブリ。
【請求項４】
選択的にメイン画像データを表示するメイン表示部と、常時に付加画像データを表示するサブ表示部に区画された表示パネルに光を提供するバックライトアセンブリにおいて、
光を出射する光源と、
前記光が入射する入光面と、前記メイン表示部に対応するメイン領域及び前記サブ表示部に対応するサブ領域に区画されて、ガイドした光を出射する出光面を含む光ガイドユニットと、
少なくとも前記メイン領域に配置され、前記メイン領域から出射される光の輝度を第１上昇率だけ向上する第１光学シートと、
前記サブ領域に配置され、前記サブ領域から出射される光の輝度を第２上昇率だけ向上する第２光学シートと、を含むことを特徴とするバックライトアセンブリ。
【請求項５】
前記第１光学シートは、前記サブ領域をカバーするように配置され、前記第２光学シートは、前記第１光学シートとオーバーレイするように配置されることを特徴とする請求項４記載のバックライトアセンブリ。
【請求項６】
前記第１光学シートは、
前記出光面から出射された光の輝度均一性を向上する拡散シートと、
前記拡散シートから出射された光を集光する第１集光シートと、を含むことを特徴とする請求項５記載のバックライトアセンブリ。
【請求項７】
前記第２光学シートは、前記第１集光シートの集光方向と交差する方向に集光する第２集光シートを含むことを特徴とする請求項６記載のバックライトアセンブリ。
【請求項８】
選択的にメイン画像データを表示するメイン表示部と、常時に付加画像データを表示するサブ表示部に区画された表示パネルに光を提供するバックライトアセンブリにおいて、
前記メイン表示部に隣接して配置され、選択的に第１光を出射する第１光源と、
前記サブ表示部に隣接して配置され、常時に第２光を出射する第２光源と、
前記第１光及び第２光をガイドして前記表示パネルに出射する光ガイドユニットと、を含むことを特徴とするバックライトアセンブリ。
【請求項９】
前記光ガイドユニットは、
前記メイン表示部に対応するメイン領域及び前記サブ表示部に対応するサブ領域に区画された出光面と、
前記メイン領域に連結され、前記第１光源が配置される第１側面と、
前記サブ領域に連結され、前記第２光源が配置される第２側面と、を含むことを特徴とする請求項８記載のバックライトアセンブリ。
【請求項１０】
前記光ガイドユニットは、
前記メイン表示部に対応し、前記第１光源が配置されるメイン導光板と、
前記サブ表示部に対応し、前記第２光源が配置されるサブ導光板と、を含むことを特徴とする請求項８記載のバックライトアセンブリ。
【手続補正２】
【補正対象書類名】明細書
【補正対象項目名】０００９
【補正方法】変更
【補正の内容】
【０００９】
以下選択的に、
請求項３によると、前記対向面には光散乱パターンが形成され、前記光散乱パターンは、前記メイン領域に対応する対抗面の部分には相対的に疎に形成され、前記サブ領域に対応する対抗面の部分には相対的に密に形成される。
請求項２によると、前記メイン領域は前記入光面に隣接し、前記サブ領域は前記入光面から離隔している。
【手続補正３】
【補正対象書類名】明細書
【補正対象項目名】００１０
【補正方法】変更
【補正の内容】
【００１０】
前記の課題を解決するためになされた本発明の請求項４によるバックライトアセンブリは、選択的にメイン画像データを表示するメイン表示部と、常時に付加画像データを表示するサブ表示部に区画された表示パネルに光を提供するバックライトアセンブリにおいて、光を出射する光源、光ガイドユニット、第１光学シート、及び第２光学シートを含み、前記光ガイドユニットは、入光面及び出光面を含み、前記入光面には前記光源が出射した光が入射され、前記出光面は、前記メイン表示部に対応するメイン領域及び前記サブ表示部に対応するサブ領域に区画されて、ガイドした光を出射し、前記第１光学シートは、少なくとも前記メイン領域に配置され、前記メイン領域から出射される光の輝度を第１上昇率だけ向上し、前記第２光学シートは、前記サブ領域に配置され、前記サブ領域から出射される光の輝度を第２上昇率だけ向上する。
【手続補正４】
【補正対象書類名】明細書
【補正対象項目名】００１１
【補正方法】変更
【補正の内容】
【００１１】
以下望ましくは、
請求項５によると、前記第１光学シートは、前記サブ領域をカバーするように配置され、前記第２光学シートは、前記第１光学シートとオーバーレイするように配置される。
請求項７によると、前記第２光学シートは、集光シートを含む。
【手続補正５】
【補正対象書類名】明細書
【補正対象項目名】００１２
【補正方法】変更
【補正の内容】
【００１２】
前記の課題を解決するためになされた本発明の請求項８によるバックライトアセンブリは、選択的にメイン画像データを表示するメイン表示部と、常時に付加画像データを表示するサブ表示部に区画された表示パネルに光を提供するバックライトアセンブリにおいて、第１光源、第２光源、及び光ガイドユニットを含み、前記第１光源は、前記メイン表示部に隣接して配置され、選択的に第１光を出射し、前記第２光源は、前記サブ表示部に隣接して配置され、常時に第２光を出射し、前記光ガイドユニットは、前記第１光及び第２光をガイドして前記表示パネルに出射する。
【手続補正６】
【補正対象書類名】明細書
【補正対象項目名】００１３
【補正方法】変更
【補正の内容】
【００１３】
以下望ましくは、
請求項９によると、前記光ガイドユニットは、出光面、第１側面、及び第２側面を含み、前記出光面はメイン領域及びサブ領域に区画され、前記第１側面は前記メイン領域に連結され、前記第２側面は前記サブ領域に連結され、前記第１光源は前記第１側面に配置され、前記第２光源は前記第２側面に配置される。
請求項１０によると、前記光ガイドユニットはメイン導光板及びサブ導光板を含み、前記メイン導光板は前記メイン表示部に対応し、前記メイン導光板には前記第１光源が配置され、前記サブ導光板は前記サブ表示部に対応し、前記サブ導光板には前記第２光源が配置される。
【手続補正７】
【補正対象書類名】明細書
【補正対象項目名】００１４
【補正方法】変更
【補正の内容】
【００１４】
請求項６によると、前記第１光学シートは、前記出光面から出射された光の輝度均一性を向上する拡散シートと、前記拡散シートから出射された光を集光する第１集光シートと、を含む。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】